(57)【要約】【課題】メンテナンス性に優れた集塵装置およびこの集塵装置を備えた電気掃除機を提供する。【解決手段】集塵部１７は、集塵容器５０と、集塵容器５０と組み合わせることで旋回室と集塵室とを形成する筒状の内筒部材と、を備える。集塵容器５０は、内筒部材に対して着脱自在であり、旋回室で分離された塵埃を捕集する。内筒部材の底部には、集塵容器５０が内筒部材に取り付けられた際に集塵容器５０の内側底面と接するシール部材４１が固定される。この内側底面のシール部材４１と接する部分は、シール部材４１と密着可能な滑らかな面である。また、電気掃除機は、上記の集塵部１７と、この集塵部１７が着脱自在であり、電動送風機を有する本体部と、を備える。【選択図】図６
2019141388.tif 000002
【特許請求の範囲】
【請求項１】
塵埃を捕集する容器状の集塵部材と、
前記集塵部材と組み合わされ、含塵空気を旋回させて塵埃を分離するための旋回室と当該旋回室で分離された塵埃を捕集するための集塵室とを形成する筒状の内筒部材と、
を備え、
前記集塵室は、前記集塵部材の内側に形成され、
前記集塵部材は、前記内筒部材に対して着脱自在であり、
前記内筒部材の底部には、前記集塵部材が前記内筒部材に取り付けられた際に前記集塵部材の内側底面と接するシール部材が固定され、
前記内側底面の前記シール部材と接する部分は、前記シール部材と密着可能な滑らかな面である集塵装置。
【請求項２】
前記シール部材は軟質樹脂によって形成され、前記内筒部材と一体である請求項１に記載の集塵装置。
【請求項３】
前記内筒部材に対して固定された内筒部材側係合部を更に備え、
前記集塵部材は、有底の円筒形状であり、
前記集塵部材には、前記集塵部材が回転することによって前記内筒部材側係合部と係合可能な集塵部材側係合部が設けられ、
前記集塵部材が回転して前記内筒部材側係合部に集塵部材側係合部が係合する際における前記集塵部材の回転角度は、１８０度以下である請求項１または請求項２に記載の集塵装置。
【請求項４】
前記集塵部材側係合部および前記内筒部材側係合部の少なくとも一方は、前記集塵部材の周方向に沿って複数配置され、複数の当該一方は、前記集塵部材の中心軸に対して回転対称に配置されている請求項３に記載の集塵装置。
【請求項５】
前記集塵部材の中心軸は、前記内筒部材の中心軸に対してずれている請求項１から請求項４の何れか１項に記載の集塵装置。
【請求項６】
請求項１から請求項５の何れか１項に記載された集塵装置と、
前記集塵装置が着脱自在であり、電動送風機を有する本体部と、
を備える電気掃除機。
【請求項７】
請求項４に記載された集塵装置と、
前記集塵装置が着脱自在であり、電動送風機を有する本体部と、
を備え、
前記本体部は、前記集塵装置を前記本体部に着脱するための本体側係合部を有し、
前記集塵部材の外側底部には、前記本体側係合部と係合可能な集塵装置側係合部が形成され、
前記集塵装置側係合部は、前記集塵部材の周方向に沿って複数配置され、且つ、集塵部材の中心軸に対して回転対称に配置されている電気掃除機。
【発明の詳細な説明】
【技術分野】
【０００１】
この発明は、集塵装置およびこの集塵装置を備えた電気掃除機に関するものである。
【背景技術】
【０００２】
特許文献１に、サイクロン式の集塵装置を備えた電気掃除機が記載されている。特許文献１に記載された集塵装置は、塵埃を捕集する集塵容器と、この集塵容器の内側に設けられた内筒と、を備える。特許文献１において、含塵空気を旋回させて塵埃を分離する旋回室および塵埃を捕集する集塵室は、集塵容器と内筒とが組み合わされることによって形成されている。
【先行技術文献】
【特許文献】
【０００３】
【特許文献１】特開２０１２−１２０５６１号公報
【発明の概要】
【発明が解決しようとする課題】
【０００４】
特許文献１において、集塵容器の内側底面には、当該集塵容器と内筒とを密着させるための凸部が形成されている。集塵容器の内側底面に形成されたこの凸部は、集塵容器の清掃等のメンテナンスをやりづらくしてしまう。
【０００５】
本発明は、上記のような課題を解決するためになされたものである。本発明の目的は、メンテナンス性に優れた集塵装置およびこの集塵装置を備えた電気掃除機を提供することである。
【課題を解決するための手段】
【０００６】
本発明に係る集塵装置は、塵埃を捕集する容器状の集塵部材と、集塵部材と組み合わされ、含塵空気を旋回させて塵埃を分離するための旋回室と当該旋回室で分離された塵埃を捕集するための集塵室とを形成する筒状の内筒部材と、を備える。集塵室は、集塵部材の内側に形成され、集塵部材は、内筒部材に対して着脱自在である。内筒部材の底部には、集塵部材が内筒部材に取り付けられた際に集塵部材の内側底面と接するシール部材が固定される。集塵部材の内側底面のシール部材と接する部分は、シール部材と密着可能な滑らかな面である。また、本発明に係る電気掃除機は、上記の集塵装置と、この集塵装置が着脱自在であり、電動送風機を有する本体部と、を備えるものである。
【発明の効果】
【０００７】
本発明によれば、メンテナンス性に優れた集塵装置およびこの集塵装置を備えた電気掃除機を提供することができる。
【図面の簡単な説明】
【０００８】
【図１】実施の形態１の電気掃除機システムの斜視図である。
【図２】実施の形態１の電気掃除機システムの側面図である。
【図３】実施の形態１の掃除機の斜視図である。
【図４】実施の形態１の本体部に対して集塵部を着脱する状態を示す側面図である。
【図５】実施の形態１の集塵部の斜視図である。
【図６】実施の形態１の集塵部の分解斜視図である。
【図７】実施の形態１の集塵部の上面図である。
【図８】図７におけるＡ−Ａ断面を示す断面図である。
【図９】実施の形態１のサイクロン分離装置の右側面図である。
【図１０】実施の形態１のサイクロン分離装置の左側面図である。
【図１１】実施の形態１のサイクロン分離装置の底面図である。
【図１２】実施の形態１の集塵容器の斜視図である。
【図１３】実施の形態１の集塵容器の上面図である。
【図１４】実施の形態１の集塵容器の底面図である。
【図１５】図１３におけるＢ−Ｂ断面を示す断面図である。
【発明を実施するための形態】
【０００９】
以下、添付の図面を参照して、発明を実施するための形態について説明する。各図における同一の符号は、同一の部分または相当する部分を示す。本開示では、重複する説明については、適宜に簡略化または省略する。なお、本発明は、以下の実施の形態によって開示される構成のあらゆる組み合わせを含み得るものであり、趣旨を逸脱しない範囲で種々変形することが可能である。
【００１０】
実施の形態１．
図１は、実施の形態１の電気掃除機システム１の斜視図である。図２は、実施の形態１の電気掃除機システム１の側面図である。図１および図２に示すように、本実施の形態の電気掃除機システム１は、掃除機１０と支持装置１００とによって構成される。図３は、実施の形態１の掃除機１０の斜視図である。
【００１１】
掃除機１０は、電気掃除機の一例であり、コードレスタイプの縦型電気掃除機である。支持装置１００は、自立して掃除機１０を支持する機器である。支持装置１００は、例えば、居室の床面に置かれる。支持装置１００は、例えば、居室の壁際に置かれる。
【００１２】
掃除機１０は、支持装置１００に対して着脱自在である。図１は、支持装置１００に着脱される掃除機１０の状態を示している。図３は、支持装置１００から取り外された掃除機１０の状態を示している。また、図２は、支持装置１００に掃除機１０が取り付けられた状態を示している。図２に示すように、掃除機１０は、支持装置１００に取り付けられることで自立する。
【００１３】
本実施の形態の支持装置１００は、コードレスタイプの掃除機１０を充電する機能を有している。掃除機１０は、使用時に支持装置１００から取り外される。掃除機１０は、不使用時に支持装置１００に取り付けられる。コードレスタイプの掃除機１０は、支持装置１００に取り付けられることで、充電される。
【００１４】
各図面を参照し、掃除機１０の全体構成について説明する。図１から図３に示すように、掃除機１０は、主な構成要素として、掃除機本体１１、管体１２および掃除具１３を備えている。管体１２は、例えば、直線状に伸びる円筒形状の部材である。管体１２の一方の端部は、掃除具１３に接続される。掃除具１３は、管体１２に対し、着脱可能である。管体１２の他方の端部は、掃除機本体１１に接続される。管体１２は、掃除機本体１１に対し、着脱可能である。
【００１５】
管体１２および掃除具１３の内部には、外部から掃除機本体１１に塵埃を含む空気を流入させるための風路が形成される。なお、本開示では、ごみ、塵、埃、毛髪、繊維等のように、掃除機１０の清掃対象となるものを総称して、「塵埃」と称する。また、本開示では、塵埃を含む空気を、「含塵空気」と称する。そして、塵埃が取り除かれた空気を「清浄空気」と呼ぶ場合がある。
【００１６】
掃除機本体１１は、含塵空気から塵埃を分離する機能を有するものである。また、掃除機本体１１は、分離した塵埃を捕集する機能を有するものである。掃除機本体１１は、図３に示すように、把持部１５、本体部１６および集塵部１７を備える。把持部１５は、掃除機１０の使用中に使用者が手で握る部材である。把持部１５は、本体部１６に対して機械的に接続されている。
【００１７】
本体部１６には、図示しない電動送風機および充電池等が内蔵されている。電動送風機は、掃除機１０が塵埃を吸引するための気流を発生させるものである。充電池は、電動送風機が駆動するための電力源である。本実施の形態の本体部１６は、電気掃除機の本体の一例である。
【００１８】
集塵部１７は、含塵空気から塵埃を分離して、当該塵埃を捕集する集塵装置の一例である。本実施の形態の集塵部１７は、本体部１６に内蔵された電動送風機が発生させた気流によって掃除機本体１１に吸引された含塵空気を旋回させ、遠心力によって塵埃を分離する。集塵部１７は、サイクロン分離機能を有する。
【００１９】
集塵装置の一例である集塵部１７は、本体部１６に着脱可能である。図４は、実施の形態１の本体部１６に対して集塵部１７を着脱する状態を示す側面図である。図４に示すように、本体部１６は、凸部１８を有している。また、集塵部１７の底面には、凹部５１が形成されている。凹部５１は、図４においては図示を省略する。
【００２０】
凸部１８と凹部５１とは、互いに嵌め合うように形成されている。凸部１８及び凹部５１は、電気掃除機の本体と集塵装置とを着脱自在に係合させる手段の一例である。本実施の形態における凸部１８は、本体側係合部の一例である。凹部５１は、集塵装置側係合部の一例である。
【００２１】
次に、支持装置１００の全体構成について説明する。本実施の形態の支持装置１００は、図１および図２に示すように、基台部１０１、支柱部１０２および本体支持部１０３を備える。基台部１０１は、支持装置１００の中で最も下方に配置される部分である。基台部１０１は、支持装置１００の土台を形成する。
【００２２】
支柱部１０２は、柱状の部材である。支柱部１０２の下端部は、基台部１０１に固定される。支柱部１０２は、基台部１０１の上面から鉛直上向きに直立するように形成されている。本体支持部１０３は、支柱部１０２の中間部に設けられている。掃除機１０が支持装置１００に取り付けられている状態において、本体支持部１０３は、掃除機本体１１を下方から支持する。また、掃除機１０が支持装置１００に取り付けられる際、掃除具１３は、基台部１０１に支えられる。
【００２３】
次に、集塵部１７の構成について、図面を更に参照し、より詳細に説明する。図５は、実施の形態１の集塵部１７の斜視図である。図６は、実施の形態１の集塵部１７の分解斜視図である。図７は、実施の形態１の集塵部１７の上面図である。図８は、図７におけるＡ−Ａ断面を示す断面図である。
【００２４】
図５に示すように、集塵部１７全体の外観は、円柱状である。図６に示すように、集塵部１７は、フィルタ部２１、流入部ケース２２、案内部２３、排出部２４、円錐部２５、隔壁部２６及び集塵容器５０を備えている。集塵部１７は円周方向よりも高さ方向、すなわち円周方向に垂直な方向の方が長い。換言すれば、集塵部１７は円周方向に垂直な方向に長手軸を有する。
【００２５】
図５から図８に示すように、流入部ケース２２には、流入口２７が形成されている。流入部ケース２２の側面は、円弧面２８とストレート面２９とからなる。流入部ケース２２は、図７に示すように、上面視においてＤ字状を呈する。流入口２７は、ストレート面２９に配置される。流入口２７は、含塵空気を集塵部１７の内部に流入させるための開口である。
【００２６】
フィルタ部２１は、流入部ケース２２の上部に着脱可能に収容される。図７に示すように、フィルタ部２１は、枠体３０、フィルタ３１及び第１パッキン３２を備える。枠体３０は、上面視において流入部ケース２２と相似なＤ字状を呈している。第１パッキン３２は、枠体３０の上面の外周に配置されている。第１パッキン３２は、掃除機本体１１と集塵部１７とを密接させるためのものである。
【００２７】
案内部２３は、流入部ケース２２の流入口２７から流入した含塵空気を円錐部２５に導くための部材である。案内部２３は、案内板３３、天面部３４及び第２パッキン３５を備える。円錐部２５は、分離室３６の側壁となる部材である。分離室３６は、含塵空気を旋回させて、当該含塵空気から塵埃を遠心分離するための旋回室の一例である。
【００２８】
円錐部２５の主要部分は、倒立した円錐形状を呈する。円錐部２５は、全体として、筒状の円錐形状を呈している。本実施の形態において、分離室３６は、この円錐部２５の内側に形成される。
【００２９】
案内部２３の案内板３３は、流入口２７から流入した含塵空気を分離室３６に導く部材である。天面部３４は、集塵部１７が適切に組み立てられた状態において、分離室３６の上面となる。第２パッキン３５は、天面部３４の上面の外周に配置されている。第２パッキン３５、集塵部１７が適切に組み立てられた状態において、流入部ケース２２の内壁に密着する。天面部３４と第２パッキン３５とにより、分離室３６内の含塵空気の漏出が防がれる。
【００３０】
円錐部２５は、集塵部１７が適切に組み立てられた状態において、案内部２３の下側に配置される。円錐部２５の側壁には、第１開口３７が形成されている。円錐部２５の底部には、第２開口３８が形成されている。円錐部２５の底部とは、倒立した円錐形状の頂点部分に該当する。第１開口３７および第２開口３８は、含塵空気から遠心分離された塵埃を分離室３６の外部に排出するための開口である。
【００３１】
排出部２４は、集塵部１７が適切に組み立てられた状態において、円錐部２５の内側に配置される。排出部２４は、円筒と円錐とを組み合わせた形状を呈する。排出部２４には、複数の微細な孔が形成されている。
【００３２】
集塵容器５０は、塵埃を捕集する容器状の集塵部材の一例である。本実施の形態における集塵容器５０は、有底の円筒形状を呈する。集塵容器５０は、上部が開口している。集塵容器５０は、集塵部１７が適切に組み立てられた状態において、円錐部２５の外側に配置される。また、集塵容器５０の外側底面には、上記した凹部５１が形成されている。
【００３３】
集塵容器５０の内側には、分離室３６で含塵空気から遠心分離された塵埃を捕集する空間である集塵室が形成される。本実施の形態における集塵室は、円錐部２５の外側に形成される。隔壁部２６は、集塵容器５０の内側で、且つ、円錐部２５の外側に配置される。隔壁部２６は、円筒形状を呈している。本実施の形態の集塵室は、図８に示すように、隔壁部２６により、第１集塵室３９と第２集塵室４０との２つに区画されている。
【００３４】
第１集塵室３９は、第２集塵室４０の外側に配置される。すなわち、第２集塵室４０は、第１集塵室３９の内側に配置される。第１集塵室３９は、第１開口３７を介して、分離室３６と通じている。第２集塵室４０は、第２開口３８を介して、分離室３６と通じている。
【００３５】
掃除機本体１１が有する電動送風機が駆動すると、気流が発生し、集塵部１７内に含塵空気が吸い込まれる。この際、含塵空気は流入口２７から集塵部１７内に流入する。流入口２７を通過した含塵空気は、分離室３６内に流入する。含塵空気は、円錐部２５の内面、すなわち分離室３６を形成する側壁に沿うように、分離室３６に流入する。
【００３６】
分離室３６に流入した空気は、分離室３６を形成する側壁に沿って回り、分離室３６内で旋回気流を形成する。旋回気流は、中心軸近傍の強制渦領域とその外側の自由渦領域とを形成しながら下向きに流れていく。この旋回気流に含まれるごみには、遠心力が作用する。例えば、繊維ごみおよび毛髪等の比較的嵩の大きなごみαは、作用する遠心力によって外側に押し付けられる。ごみαは、第１開口３７の高さに達すると、第１開口３７を通過する。第１開口３７を通過したごみαは、第１集塵室３９に送られて捕集される。
【００３７】
第１集塵室３９に送られなかったごみは、分離室３６内の気流に乗って、旋回しながら下方に移動する。砂ごみ等の比較的嵩の小さなごみβは、第２開口３８を通過して、第２集塵室４０に落下して捕集される。集塵部材の一例である集塵容器５０は、このようにして塵埃を捕集する。
【００３８】
上記したように、円錐部２５は、旋回室の分離室３６の側壁をなしている。また、隔壁部２６は、集塵室の側壁をなしている。分離室３６および集塵室は、円錐部２５および隔壁部２６が集塵容器５０に組み合わされることによって形成されている。本実施の形態における円錐部２５および隔壁部２６は、集塵室および旋回室を形成する筒状の内筒部材の一例である。
【００３９】
なお、本開示に係る内筒部材の構造は、本実施の形態で示す円錐部２５および隔壁部２６に限定されるものではない。例えば、旋回室と集塵室とは、一体的な空間であってもよい。本開示に係る集塵室は、第１集塵室３９と第２集塵室４０とに区画されていなくてもよい。また、旋回室は、内筒部材の外側に形成されてもよい。
【００４０】
有底の円筒形状を呈する集塵容器５０は、円周方向よりも高さ方向、すなわち円周方向に垂直な方向の方が長い。換言すれば、集塵容器５０は、円周方向に垂直な方向に長手軸を有する。また、集塵容器５０は長手軸と平行な中心軸を有する。
【００４１】
排出部２４、円錐部２５および集塵容器５０は、いずれも、それぞれの中心軸に垂直な断面が円形である。本実施の形態において、排出部２４、円錐部２５および集塵容器５０のそれぞれの中心軸は、互いに平行になるように配置される。また、排出部２４と円錐部２５の中心軸は一致している。集塵容器５０の中心軸は、円錐部２５の中心軸に対してずれている。
【００４２】
なお、本開示では長手軸および中心軸という語を用いている。本開示における中心軸とは、幅方向の中心または奥行方向の中心の軸も含み得る。すなわち、中心軸は、幅方向の中心または奥行方向の中心にある長手軸でもある。また、例えば、排出部２４、円錐部２５および集塵容器５０の中心軸に垂直な断面の外形は、必ずしも完全な円形に限るものではなく、例えば、当該外形には係合や嵌合のための凹凸があってもよい。本開示における中心軸とは、長手軸を有する物体のおおよその中心の軸を意味している。
【００４３】
また、集塵容器５０には、図６に示すように、第１回転式係合部５２が設けられている。第１回転式係合部５２は、集塵部材に設けられた集塵部材側係合部の一例である。一例として、第１回転式係合部５２は、集塵容器５０の内壁の上端部に設けられている。円錐部２５と集塵容器５０とは、この第１回転式係合部５２を介して着脱自在に組み合わされる。集塵容器５０は、その周方向に沿って回転させられることで着脱される。例えば、使用者は、集塵容器５０に捕集された塵埃を廃棄する際および集塵容器５０内を清掃する際などに、集塵容器５０を円錐部２５から取り外す。
【００４４】
図９は、実施の形態１のサイクロン分離装置の右側面図である。本開示では、集塵容器５０が取り外された状態の集塵部１７を、「サイクロン分離装置」と称する。換言すると、集塵装置の一例である集塵部１７は、サイクロン分離装置と集塵容器５０とによって構成されている。図１０は、実施の形態１のサイクロン分離装置の左側面図である。また、図１１は、実施の形態１のサイクロン分離装置の底面図である。
【００４５】
また、図１２は実施の形態１の集塵容器５０の斜視図である。図１３は、実施の形態１の集塵容器５０の上面図である。図１４は、実施の形態１の集塵容器５０の底面図である。図１５は、図１３におけるＢ−Ｂ断面を示す断面図である。図１３から図１５は、サイクロン分離装置から取り外された集塵容器５０単体を示すものである。
【００４６】
図９から図１１に示すように、隔壁部２６の底部には、シール部材４１が設けられる。シール部材４１は、隔壁部２６に固定されている。集塵容器５０がサイクロン分離装置から取り外された場合においても、シール部材４１は、隔壁部２６に取り付けられた状態で保持される。
【００４７】
シール部材４１は、例えば、軟質樹脂によって形成される。軟質樹脂のシール部材４１は、例えば、２色成形によって隔壁部２６と一体的に形成される。隔壁部２６と一体であるシール部材４１は、より確実且つ強固に隔壁部２６へ固定される。なお、シール部材４１は、隔壁部２６と別体として形成された後に、隔壁部２６へ固定されてもよい。また、シール部材４１の素材は、軟質樹脂に限られず、例えば、ゴム等であってもよい。
【００４８】
内筒部材の一例である隔壁部２６と集塵部の一例である集塵容器５０とは、このシール部材４１を介して密着する。シール部材４１は、旋回室および集塵室の密閉性を確保するための部材である。シール部材４１は、内筒部材の一例である円錐部２５に対して集塵容器５０が取り付けられた際、集塵容器５０の内側底面に接する。図８に示すように、シール部材４１は、集塵部１７が適切に組み立てられた状態において、集塵容器５０の内側底面に密着する。集塵容器５０の内側底面のうち、シール部材４１と接する部分は、図８および図１５に示すように、シール部材４１と密着可能な滑らかな面である。
【００４９】
上記したように、本実施の形態においては、旋回室および集塵室の密閉性を確保するための部材であるシール部材４１は、内筒部材の一例である隔壁部２６の底部に固定されている。これにより、旋回室および集塵室の密閉性を確保するための凹凸等を集塵容器５０の内側底面に設ける必要がない。集塵容器５０の内側底面は、滑らかな面として形成される。集塵容器５０の内側底面が滑らかな面になることで、当該集塵容器５０の清掃等のメンテナンス性がよりよくなる。本実施の形態であれば、よりメンテナンス性に優れた集塵装置として、集塵部１７を提供することが可能である。また、本実施の形態の掃除機１０は、電動送風機を有する掃除機本体１１と、メンテナンス性に優れた集塵部１７と、を備えている。
【００５０】
なお、集塵容器５０の内側底面は、平坦面であってもよいし、曲面であってもよい。集塵容器５０は、集塵容器５０の内側底面のうち、シール部材４１と接する部分が滑らかになるように形成されていればよい。また、円錐部２５と集塵容器５０との着脱は、回転によって行われなくてもよい。例えば、集塵容器５０は、軸方向に向かって挿し込まれることで円錐部２５に取り付けられてもよい。
【００５１】
上記したように、集塵容器５０の中心軸は、円錐部２５の中心軸に対してずれている。本実施の形態においては、シール部材４１は、隔壁部２６を介して円錐部２５に対して固定されている。これにより、集塵容器５０の中心軸と円錐部２５の中心軸とが互いにずれていたとしても、集塵容器５０を円錐部２５に組み合わせる際の位置決めの負担が軽減される。また、換言すると、集塵容器５０の円錐部２５への取り付けやすさを損なわずに、集塵容器５０の中心軸を円錐部２５の中心軸からずらすことができる。本実施の形態であれば、集塵容器５０の円錐部２５への取り付けやすさを損なわずに、例えば、旋回室および集塵室の配置等の設計の自由度を高くすることができる。
【００５２】
集塵部材側係合部の一例である第１回転式係合部５２は、例えば、集塵容器５０の周方向に沿って複数設けられてもよい。第１回転式係合部５２は、例えば、３つ設けられる。３つの第１回転式係合部５２は、図１３に示すように、集塵容器５０の中心軸に対して回転対称に配置される。換言すると、３つの第１回転式係合部５２は、等間隔に配置される。３つの第１回転式係合部５２は、それぞれ、同一の形状に形成される。
【００５３】
円錐部２５には、内筒部材に対して固定された内筒部材側係合部の一例として、第２回転式係合部４２が設けられる。第１回転式係合部５２と第２回転式係合部４２とは、集塵容器５０が回転することによって互いに係合可能に形成される。
【００５４】
第２回転式係合部４２の配置は、第１回転式係合部５２の配置に応じて設定される。一例として、第２回転式係合部４２は、集塵容器５０の周方向に沿って複数設けられる。第２回転式係合部４２は、例えば、３つ設けられる。３つの第２回転式係合部４２は、集塵容器５０の中心軸に対して回転対称に配置される。換言すると、３つの第２回転式係合部４２は、等間隔に配置される。３つの第２回転式係合部５２は、それぞれ、同一の形状に形成される。
【００５５】
第１回転式係合部５２と第２回転式係合部５２とが上記のように構成されることにより、使用者が集塵容器５０を円錐部２５に対して取り付ける際に当該集塵容器５０を回転させる角度をより少なくすることができる。より具体的には、集塵容器５０が回転することによって第２回転式係合部４２に第１回転式係合部５２が係合する際における集塵容器５０の回転角度を、１２０度以下にすることができる。本実施の形態であれば、より組み立てやすい集塵部１７が得られる。また、集塵容器５０が円錐部２５に対して回転する角度が少なくなることによって、シール部材４１の摩耗が抑制される。
【００５６】
なお、第１回転式係合部５２および第２回転式係合部４２の数は、２つまたは４つ以上であってもよい。第１回転式係合部５２が２つである場合、２つの第１回転式係合部５２は回転対称に設けられるとよい。第２回転式係合部４２が２つである場合、２つの第２回転式係合部４２は回転対称に設けられるとよい。これにより、集塵容器５０が回転することによって第２回転式係合部４２に第１回転式係合部５２が係合する際における集塵容器５０の回転角度を、１８０度以下にすることができる。
【００５７】
また、第１回転式係合部５２および第２回転式係合部４２の一方が複数で他方が１つであってもよい。第１回転式係合部５２および第２回転式係合部４２の数量は、それぞれ１つずつであってもよい。第１回転式係合部５２および第２回転式係合部４２の数量がそれぞれ１つずつである場合、円錐部２５に対して集塵容器５０をガイドするガイド構造があるとより好適である。このガイド構造は、円錐部２５に対して集塵容器５０を取り付ける際に、集塵容器５０の位置決めを行うものである。ガイド構造は、集塵容器５０が回転することによって第２回転式係合部４２に第１回転式係合部５２が係合する際における集塵容器５０の回転角度を１８０度以下にするように構成されることが好ましい。
【００５８】
上記したように、集塵容器５０の外側底部には、集塵装置側係合部の一例である凹部５１が形成されている。この凹部５１の数量および配置は、第１回転式係合部５２および第２回転式係合部４２の数量および配置に合わせて設定される。
【００５９】
一例として、凹部５１は、集塵容器５０の周方向に沿って複数配置される。集塵容器５０の外側底部には、例えば、３つの凹部５１が形成される。３つの凹部５１は、集塵容器５０の中心軸に対して回転対称に配置される。換言すると、３つの凹部５１は、等間隔に配置される。３つの凹部５１は、それぞれ、同一の形状に形成される。３つの凹部５１のそれぞれは、いずれも本体側係合部の一例である凸部１８に係合可能である。凹部５１が上記のように構成されることによって、サイクロン分離装置に対する集塵容器５０の取り付け位置に依らず、集塵部１７を本体部１６に取り付けることが可能になる。
【００６０】
なお、集塵容器５０の底面には、塵埃の再飛散等を抑制するためのリブ５３が形成されていてもよい。リブ５３は、図１３に示すように、複数の凹部５１同士の間に形成される。リブ５３は、集塵容器５０の周方向に沿って、集塵容器５０の中心軸に対して回転対称に配置される。
【符号の説明】
【００６１】
１  電気掃除機システム、  １０  掃除機、  １１  掃除機本体、  １２  管体、  １３  掃除具、  １５  把持部、  １６  本体部、  １７  集塵部、  １８  凸部、  ２１  フィルタ部、  ２２  流入部ケース、  ２３  案内部、  ２４  排出部、  ２５  円錐部、  ２６  隔壁部、  ２７  流入口、  ２８  円弧面、  ２９  ストレート面、  ３０  枠体、  ３１  フィルタ、  ３２  第１パッキン、  ３３  案内板、  ３４  天面部、  ３５  第２パッキン、  ３６  分離室、  ３７  第１開口、  ３８  第２開口、  ３９  第１集塵室、  ４０  第２集塵室、  ４１  シール部材、  ４２  第２回転式係合部、  ５０  集塵容器、  ５１  凹部、  ５２  第１回転式係合部、  ５３  リブ、  １００  支持装置、  １０１  基台部、  １０２  支柱部、  １０３  本体支持部
【図１】
2019141388.tif 000003
【図２】
2019141388.tif 000004
【図３】
2019141388.tif 000005
【図４】
2019141388.tif 000006
【図５】
2019141388.tif 000007
【図６】
2019141388.tif 000008
【図７】
2019141388.tif 000009
【図８】
2019141388.tif 000010
【図９】
2019141388.tif 000011
【図１０】
2019141388.tif 000012
【図１１】
2019141388.tif 000013
【図１２】
2019141388.tif 000014
【図１３】
2019141388.tif 000015
【図１４】
2019141388.tif 000016
【図１５】
2019141388.tif 000017